(57)【要約】  【課題】  ２つの異なる波長に対応した光ディスクに対して、高速記録が対応可能なような光学系構成でありながら、環境温度変化などによる光学部品ずれなどの影響を低減することが可能な光ピックアップ及びそれを用いた光ディスク装置を実現する。  【解決手段】  上記の課題を解決する手段として、２つの異なる波長の半導体レーザと補助レンズと光ビームを合成する光学部品とを微小なベース上に集積した２波長レーザモジュールにより、２つの異なる波長の光ディスクに対する光効率の高効率化と光学部品ずれに対する高信頼性とを両立した光ピックアップの光学系を実現する。  【選択図】  図１
2005100480.tif 000002
【特許請求の範囲】
【請求項１】
異なる波長の第１及び第２のレーザ光源と、前記２つのレーザ光源から出射された光ビームを１つの光軸に合成する光合成素子と、前記２つのレーザ光源と前記光合成素子とを搭載する１つの基板とからなる２波長レーザモジュールであって、
前記第１のレーザ光源と前記光合成素子との間に補正レンズを配置したことを特徴とする２波長レーザモジュール。
【請求項２】
前記レーザ光源からの光ビームが前記光合成素子を透過させるように用いる側の前記第１のレーザ光源と前記光合成素子との間に前記補正レンズを配置したことを特徴とする請求項１記載の２波長レーザモジュール。
【請求項３】
前記レーザ光源からの光ビームが前記光合成素子を反射させるように用いる側の前記第２のレーザ光源と前記光合成素子との間に偏光変換素子を配置したことを特徴とする請求項１記載の２波長レーザモジュール。
【請求項４】
前記光合成素子は、平板ミラーもしくはプリズムからなることを特徴とする請求項１記載の２波長レーザモジュール。
【請求項５】
異なる波長の第１及び第２のレーザ光源と、前記２つのレーザ光源から出射された光ビームを１つの光軸に合成する光合成素子と、前記２つのレーザ光源と前記光合成素子とを搭載する１つの基板とからなる２波長レーザモジュールであって、
前記２つのレーザ光源から発し、前記光合成素子を経て基板上より出射される各々の光ビームの偏光方向が互いに略垂直となることを特徴とする２波長レーザモジュール。
【請求項６】
前記第１のレーザ光源の波長が、前記第２のレーザ光源の波長よりも長いことを特徴とする請求項１又は請求項５記載の２波長レーザモジュール。
【請求項７】
異なる波長の２つのレーザ光源から出射された光ビームを１つの光軸に合成する光合成素子とを１つの基板上に具備する請求項１又は請求項５記載の２波長レーザモジュールと、前記２つのレーザ光源から出射された光ビームを各々異なる光ディスク上の情報記録面に集光する対物レンズと、前記光ディスクからの反射光を受光する光検出器とを備えた光ピックアップであって、
前記各々の光ディスクからの反射光により、前記光検出器からフォーカスエラー信号及びトラッキングエラー信号を生成できる信号を出力することを特徴とする光ピックアップ。
【請求項８】
異なる波長の２つのレーザ光源から出射された光ビームを１つの光軸に合成する光合成素子とを１つの基板上に具備する２波長レーザモジュールを搭載する請求項７記載の光ピックアップと、前記光ディスクの種類を判別する光ディスク判別回路と、前記２つのレーザ光源を点灯するレーザ光源点灯回路とを備えた光ディスク装置であって、
前記光ディスク判別回路からの情報に基づいて、前記レーザ光源点灯回路が２つのレーザ光源を適宜点灯することを特徴とする光ディスク装置。
【発明の詳細な説明】
【技術分野】
【０００１】
本発明は光ディスクに記録された情報信号を再生するために用いられる光ピックアップに搭載される２波長レーザモジュール及びそれを用いた光ピックアップ、光ディスク装置に関する。
【背景技術】
【０００２】
ＤＶＤやＣＤ等の光ディスク装置は、非接触、大容量、高速アクセス、低コストメディアを特徴とする情報記録再生装置として普及しており、情報の記録容量やレーザ光源の波長の違いなどによって様々な種類の光ディスクが存在している。近年では、大量の情報を記録保存するという目的に対し、ＤＶＤ−ＲＡＭ、ＤＶＤ−ＲやＣＤ−Ｒなどの記録型の光ディスクが急速に普及をしており、高速記録化が年々進んでいる状況である。そのため、光ディスク装置に搭載されている光ピックアップにおいては、高速記録への対応と低コスト化及び信頼性の向上などが市場から強く要求されている。
光ピックアップにおいて高速記録に対応するためには、光ディスク上で高速記録に必要な記録パワーを確保し、かつ充分に小さく絞り込まれた光スポットを実現することが必要である。そのため、従来の光ピックアップにおいては、往路の光学系途中のコリメートレンズとレーザ光源の間に補助レンズを配置する構成が提案されている。このような配置とすることにより、レーザ光源から出射された光ビームの広がり角度を補助レンズにて変換することが可能となり、ＤＶＤ及びＣＤのそれぞれに対して光利用効率の向上と光ディスク上スポットの絞り込みが実現できる。（例えば、特許文献１参照）
次に、光ピックアップにおいて低コスト化を図るためには、光ピックアップを構成する光学部品自体の低コスト化と構成部品数の低減が有効である。そのため、ＤＶＤ用及びＣＤ用のレーザ光源を同一の基板上に配置した２波長レーザモジュールにより、光学系を構成する光学部品をＤＶＤとＣＤでできるだけ共通化することにより、大幅に部品点数を低減することが図られている。（例えば、特許文献２参照）
【０００３】
【特許文献１】特開平７−２７２３０１号公報（第３項、第１図）
【特許文献２】特開平２００３−１６６８５号公報（第４項、第１図）
【発明の開示】
【発明が解決しようとする課題】
【０００４】
先述したように、光ピックアップにおいては更なる高速記録への対応、低コスト化及び信頼性向上の実現が非常に重要な問題である。先に示した従来構成では、往路光学系に補助レンズを配置することにより高速記録への対応を実現しているが、光学系を構成する個々の部品は光ピックアップの筐体に各々搭載する構成である。そのため、環境温度変化や経時変化に対しては、個々の光学部品が光ピックアップの筐体を基準に様々な方向に動く可能性があり、部品ずれに対する信頼性の面で十分な性能を得ることは難しかった。
【０００５】
また、光ピックアップの低コスト化を図るために、２波長レーザを用いる場合においては、ＤＶＤとＣＤの２つのレーザ光源の発光点がほぼ同じところにあるため、ＤＶＤあるいはＣＤの片方のみに作用するような補助レンズを配置することが困難であった。
以上のことを鑑み本発明の目的は、光ピックアップにおいて記録型光ディスクの高速記録に対応し、かつ光学系の部品点数を低減することにより低コスト化を図り、さらに部品ずれに対する光学部品ずれに対しても高い信頼性を確保できる光学系構成を実現することである。
【課題を解決するための手段】
【０００６】
上記課題を解決するために本発明では、異なる波長の第１及び第２のレーザ光源と、前記２つのレーザ光源から出射された光ビームを１つの光軸に合成する光合成素子と、前記２つのレーザ光源と前記光合成素子とを搭載する１つの基板とからなる２波長レーザモジュールにおいて、前記第１のレーザ光源と前記光合成素子との間に補正レンズを配置するようにする。
【０００７】
また、上記課題を解決するために本発明では、前記レーザ光源からの光ビームが前記光合成素子を透過させるように用いる側の前記第１のレーザ光源と前記光合成素子との間に前記補正レンズを配置するようにする。
【０００８】
さらに、上記課題を解決するために本発明では、前記レーザ光源からの光ビームが前記光合成素子を反射させるように用いる側の前記第２のレーザ光源と前記光合成素子との間に偏光変換素子を配置するようにする。
また、上記課題を解決するために本発明では、前記光合成素子を平板ミラーもしくはプリズムからなるようにする。
【０００９】
さらに、上記課題を解決するために本発明では、異なる波長の第１及び第２のレーザ光源と、前記２つのレーザ光源から出射された光ビームを１つの光軸に合成する光合成素子と、前記２つのレーザ光源と前記光合成素子とを搭載する１つの基板とからなる２波長レーザモジュールにおいて、前記２つのレーザ光源から発し、前記光合成素子を経て基板上より出射される各々の光ビームの偏光方向が互いに略垂直となるようにする。
また、上記課題を解決するために本発明では、前記第１のレーザ光源の波長が、前記第２のレーザ光源の波長よりも長くなるようにする。
さらに、上記課題を解決するために本発明では、異なる波長の２つのレーザ光源から出射された光ビームを１つの光軸に合成する光合成素子とを１つの基板上に具備する２波長レーザモジュールと、前記２つのレーザ光源から出射された光ビームを各々異なる光ディスク上の情報記録面に集光する対物レンズと、前記光ディスクからの反射光を受光する光検出器とを備えた光ピックアップにおいて、前記各々の光ディスクからの反射光により、前記光検出器からフォーカスエラー信号及びトラッキングエラー信号を生成できる信号を出力するようにする。
【００１０】
また、上記課題を解決するために本発明では、異なる波長の２つのレーザ光源から出射された光ビームを１つの光軸上に合成する光合成素子とを１つの基板上に具備する２波長レーザモジュールを搭載する光ピックアップと、前記光ディスクの種類を判別する光ディスク判別回路と、前記２つのレーザ光源を点灯するレーザ光源点灯回路とを備えた光ディスク装置において、前記光ディスク判別回路からの情報に基づいて、前記レーザ光源点灯回路が２つのレーザ光源を適宜点灯するようにする。
【発明の効果】
【００１１】
本発明によれば、２つの半導体レーザと補助レンズからなる光学系部品を微小なベース上に一体配置して２波長レーザモジュールの構成とすることにより、光ピックアップにおける光検出器をＣＤとＤＶＤで共用化でき、ＣＤとＤＶＤの各々に対してより適切な光利用効率を実現できる構成でありながら、部品ずれを小さくすることができるため信頼性の高い光ピックアップの実現が可能である。
【発明を実施するための最良の形態】
【００１２】
以下、本発明の第１の実施形態としての２波長レーザモジュールの構成について図面を参照しながら説明する。
【００１３】
図１は本発明の第１の実施形態における２波長レーザモジュールの構成を示す図である。図１において、半導体レーザ１は７８０ｎｍ帯の波長で発振するものである。半導体レーザ１より出射した光ビームは、補助レンズ３を透過することにより光ビームの広がり角を変換されて、ハーフミラー４に至る。ハーフミラー４は半導体レーザ１から出射された光ビームの出射光軸に対して、４５°の角度をなすように配置されており、その表面に形成された膜で７８０ｎｍ帯の波長のレーザ光を約９５％透過させる光学素子である。そのため、ハーフミラー４を透過した光ビームは、半導体レーザ１、補助レンズ３、ハーフミラー４を搭載したベース５の外に向かって進行することとなる。尚、ハーフミラー４の板厚は０．４ｍｍ程度であるため、ハーフミラー４を透過する際に光ビームに与えられる非点収差量は約０．０６５λｒｍｓ程度となるが、ここで発生する非点収差量は半導体レーザ１自身が持っている非点格差量と互いにキャンセルする方向にある。そのため、ハーフミラー４の板厚を半導体レーザ１の非点格差量に対して最適化することにより、残留する非点収差量を充分許容できる値とすることが可能である。
一方、ベース５に搭載された半導体レーザ２は６６０ｎｍ帯の波長で発振するものであり、半導体レーザ２より出射した光ビームはハーフミラー４に至る。ハーフミラー４は半導体レーザ２から出射された光ビームの出射光軸に対して、４５°の角度をなすように配置されており、その表面に形成された膜で６６０ｎｍ帯の波長のレーザ光を約９０％反射させる光学素子である。そのため、ハーフミラー４を反射した光ビームは、ベース５の外に向かって進行する。
【００１４】
ここで、各光学部品の配置は、半導体レーザ１及び半導体レーザ２より出射された光ビームが２波長レーザモジュールを形成するベース５の外に出射されるときに同一の光軸となるように設定されている。また、半導体レーザ１及び半導体レーザ２は何れも図示しないコリメートレンズに対して共役の位置となっている。尚、ベース５はシリコンで形成されており、大きさは３ｍｍ×４ｍｍ程度の非常に小さいものである。
図２は第１の実施形態における２波長レーザモジュールの構成を示す斜視図である。半導体レーザ１及び半導体レーザ２、補助レンズ３、平板ミラー４を搭載したベース５はステム６の一部に固着されている。ここで、ステム６に設けられた所定のピンに電圧をかけることにより、半導体レーザ１あるいは半導体レーザ２を点灯し、図中の矢印の方向に光ビームを出射することが可能である。
【００１５】
図３は第１の実施形態における２波長レーザモジュールを用いた光ピックアップの構成を示す図である。図３において、２波長レーザモジュールに搭載された７８０ｎｍ帯波長の半導体レーザ１から出射された光ビームは、補助レンズ３及びハーフミラー４を透過した後、ダイクロハーフミラー７に至る。ダイクロハーフミラー７は、表面の膜特性が７８０ｎｍ帯の波長に対して約８０％を反射し、約２０％を反射する特性である。そのため、光ビームの約２０％はダイクロハーフミラー７を透過しフロントモニタ１５に至り、残りの約８０％の光ビームは、ダイクロハーフミラー７の反射膜において反射した後、コリメートレンズ８によって平行な光ビームに変換され対物レンズ９に達する。ここで、対物レンズ９は駆動コイル１１と一体になっているアクチュエータ１０に保持されており、駆動コイル１１と対向する位置にマグネット１２が配置されている。そのため駆動コイル１１に通電しマグネット１２からの駆動力を発生させることにより、対物レンズ９を所望の方向に移動することが可能な構成となっている。対物レンズ９を透過した光ビームは、光ディスク１３の情報記録面上に合焦しており、フロントモニタ１５により検出した光量を基にして対物レンズ９を透過する光ビームの光量、あるいは光ディスク１３上に集光する光スポットの光量を推定可能な構成となっている。光ディスク１３を反射した光ビームは、往路光と同様の光路を逆にたどって対物レンズ９、コリメートレンズ８を経て、ダイクロハーフミラー７に到達し、光ビームの戻り光量の約２０％はダイクロハーフミラー７を透過する。ダイクロハーフミラー７を透過する光ビームはコリメートレンズ８によりすでに収束光となっているため、光ビームの進行方向に対して４５°方向に傾斜しているダイクロハーフミラー７を透過する際に光ビームには非点収差が与えられ、その後、光ビームは光検出器１４の所定の位置に集光されるようになっており、これら光学部品により光ピックアップ１６が構成されている。
【００１６】
ここで、第１の実施形態による光ピックアップにおいては、２波長レーザモジュール構成によりＣＤ用半導体レーザ１及びＤＶＤ用半導体レーザ２から発せられた光ビームが同一の光軸となるようにしてあるため、光検出器１４にある受光面パターンは従来の光ピックアップにて用いているものと同様に、ＣＤとＤＶＤを共用化した構成で実現可能である。
一般に、７８０ｎｍ帯のＣＤ用半導体レーザ１と６６０ｎｍ帯のＤＶＤ用半導体レーザ２の両方から発せられた光ビームを共通の対物レンズ９にて光ディスク上に集光させる光学系構成においては、ＤＶＤ側ＮＡ０．６と比較してＣＤ側ＮＡ０．５１が小さいことによりＣＤ側における光ビーム径、あるいは光ビーム取込み領域はＤＶＤ側と比較して小さくなってしまう。記録対応の光ピックアップにおいて、光ビーム取込み領域が小さくなることは光ディスク上での記録パワーが小さくなる要因となるため、非常に大きな問題となる。
第１の実施形態による光ピックアップにおいては、２波長レーザモジュール上の半導体レーザ１とハーフミラー４の間に光ビームの広がり角を狭い角度に変換する役目の補助レンズ３が配置されており、コリメートレンズ８との組合せにより７８０ｎｍ帯のＣＤに対して光利用効率の向上を図ることが可能となっている。一方、６６０ｎｍ帯のＤＶＤに対しては、コリメートレンズ８の焦点距離を半導体レーザ２の特性に対して最適化することにより、光利用効率向上を実現する構成である。すなわち、補助レンズ３とコリメートレンズ８の設計により、ＣＤおよびＤＶＤの各々に対して最適な光利用効率の実現が可能であり、記録対応の光ピックアップの光学系を容易に実現することが可能である。
さらに本発明においては、ＤＶＤ及びＣＤの光ビームを１つの光軸に合成するまでの半導体レーザ１及び半導体レーザ２からハーフミラー４に至る全ての光学部品を３ｍｍから４ｍｍ角程度の小さなベース５上に集積して配置している構成である。そのため、光ピックアップを実際に使用する際の環境温度変化や経時変化に対する個々の光学部品の位置ずれは微小範囲の同一ベース上でのずれとなるため、個々の光学部品間の相対的なずれ量を小さくすることが可能である。そのため、光検出器１４における光スポットの位置ずれを小さくでき、信号検出時における信頼性を確保することが容易となっている。
次に、本発明の第２の実施形態における２波長レーザモジュールについて図４を用いて説明する。図４は本発明の第２の実施形態における２波長レーザモジュールの構成を示す図であり、図１と同一の構成の部品に関しては、同一番号を付与してあり、図１と異なるのはＤＶＤ用半導体レーザ２とハーフミラー４の間に波長板１７が配置されている点である。尚、図４において、７８０ｎｍ帯の波長で発振する半導体レーザ１より出射した光ビームに関しては、図１と同様の動作となるため、ここでは説明を省略する。
６６０ｎｍ帯の波長の半導体レーザ２より出射した光ビームは、６６０ｎｍに対して２分の１の位相差を持つ波長板１７を透過し、その後ハーフミラー４の反射面で光路を９０°変換されて、ベース５の外へ出射する。
【００１７】
ここで、光ビームの偏光状態に関して説明する。半導体レーザ２より出射した光ビームの偏光状態は、図中矢印で示すような紙面に平行な方向の直線偏光（以下、Ｐ偏光と記す）となっている。ここで、波長板１７の位相差は、半導体レーザ２の波長の２分の１であり、方位角はＰ偏光の偏光方向に対して４５°方向となっている。そのため、波長板１７に入射した光ビームは、波長板１７の作用により図中丸印で示すように偏光方向が紙面に垂直な方向の直線偏光（以下、Ｓ偏光と記す）に変換された後ハーフミラー４へと入射し、ハーフミラー４の反射面で反射される。一方、半導体レーザ１より出射された光ビームの偏光状態は図中矢印で示すようなＰ偏光となっており、光ビームは補助レンズ３を経た後ハーフミラー４にＰ偏光の状態で到達する。このような偏光状態とすることにより、ハーフミラー４においては、透過する方向にＰ偏光の光ビームが入射し、反射する方向にＳ偏光の光ビームが入射する構成となっている。
【００１８】
記録用の光ピックアップにおいては、高速記録に対応するために光ディスク上でのレーザパワーの確保が重要である。そのため、各光学部品における反射率や透過率などの効率の向上が必要とされている。
【００１９】
図５に、本発明の第２の実施形態におけるハーフミラー４での透過率特性を示す。図５においては、６００ｎｍから８００ｎｍ付近までの各波長に対して、ハーフミラーに入射する光ビームの透過率ＴをＰ偏光（図中実線）及びＳ偏光（図中点線）について示している。
【００２０】
本発明の第２の実施形態においては、ハーフミラー４においてＣＤ用の７８０ｎｍ帯の光ビームを透過し、かつＤＶＤ用の６６０ｎｍ帯での光ビームを反射する特性である。そのため、ハーフミラー４においては、７８０ｎｍ帯で透過率Ｔが１００％に近い特性で、かつ６６０ｎｍ帯で反射率が１００％に近い特性、すなわち透過率Ｔが０％に近い特性が必要である。ここで、Ｐ偏光の透過率変化が生じる波長の領域は６７０ｎｍから６９０ｎｍ付近であり、ＤＶＤ用の６６０ｎｍ帯の波長に非常に隣接している。一方、Ｓ偏光の透過率変化が生じる波長の領域は７２０ｎｍから７４０ｎｍ付近である。そのため、６６０ｎｍ帯の波長のレーザ光をハーフミラー４で反射させようとした場合、Ｐ偏光よりもＳ偏光を用いた光学系構成の方が、半導体レーザ２の波長変動やハーフミラー４の反射膜特性自体のばらつきに対して、余裕がある構成とすることが可能である。尚、７８０ｎｍ帯の光ビームに関しては、Ｐ偏光及びＳ偏光の何れに関しても波長に対する余裕があるため、何れの偏光状態であっても光学系構成に差は生じない。
【００２１】
図４にて示したように、本発明の第２の実施形態においては半導体レーザ２の直前に２分の１波長板１７を配置することにより、ハーフミラー４に入射する光ビームの偏光状態がＳ偏光となるような光学系構成である。そのため、半導体レーザ２の波長変動やハーフミラー４の反射膜特性のばらつきに対しても１００％に近い反射率を確実に実現することが可能である。さらに、このような２波長レーザモジュールの構成とすることによって第１の実施形態と同様に、光検出器をＣＤとＤＶＤで共用化でき、ＣＤとＤＶＤの各々に対して最適な光利用効率を実現できると同時に個々の光学部品ずれに対しても信頼性の高い光ピックアップの実現が可能である。
【００２２】
尚、本発明の第２の実施形態においては、波長板１７をＤＶＤ用の半導体レーザ２の直前に配置する構成であるが、本発明は波長板１７の位置を特に限定するものではなく、ハーフミラー４の特性に応じてハーフミラー４への入射光の偏光状態を最適に変換するように配置すればよい。また、波長板１７の位相差も半導体レーザ２の波長の２分の１波長に限定するものではなく、出射偏光の状態がハーフミラー４に対して最適となるような位相差及び方位角に設定されていればよいのは言うまでも無い。
次に、本発明の第３の実施形態における２波長レーザモジュールについて図６を用いて説明する。図６は本発明の第３の実施形態における２波長レーザモジュールの構成を示す図である。図１と同一の構成の部品に関しては同一番号を付与してあり、図１と異なる点はハーフミラーがプリズムとなっている点である。
【００２３】
図６において、７８０ｎｍ帯の波長で発振する半導体レーザ１より出射した光ビームは、補助レンズ３を透過することにより光ビームの広がり角を変換されて、プリズム１８に至る。プリズム１８は半導体レーザ１から出射された光ビームの出射光軸が入射面に垂直となるように配置されており、内部の膜面は４５°の角度をなすように配置されている。内部の膜面は、７８０ｎｍ帯の波長のレーザ光を約９５％透過させる光学特性を持つものである。そのため、プリズム１８を透過した光ビームは、半導体レーザ１、補助レンズ３、ハーフミラー４を搭載したベース５の外に向かって進行することとなる。
一方、ベース５に搭載された半導体レーザ２は６６０ｎｍ帯の波長で発振するものであり、半導体レーザ２より出射した光ビームはプリズム１８に至る。プリズム１８の内部にある反射面は半導体レーザ２から出射された光ビームの出射光軸に対して、４５°の角度をなすように配置されており、その面に形成された膜で６６０ｎｍ帯の波長のレーザ光を約９０％反射させる光学特性を持つものである。そのため、プリズム１８を反射した光ビームは、ベース５の外に向かって進行する。
【００２４】
ここで、各光学部品の配置は、半導体レーザ１及び半導体レーザ２より出射された光ビームが２波長レーザモジュールを形成するベース５の外に出射されるときに同一の光軸となるように設定されている。また、半導体レーザ１及び半導体レーザ２は何れも図示しないコリメートレンズに対して共役の位置となっている。尚、ベース５はシリコンで形成されており、大きさは３ｍｍ×４ｍｍ程度の非常に小さいものである。
【００２５】
このような２波長レーザモジュールの構成とすることによって第１の実施形態と同様に、光検出器をＣＤとＤＶＤで共用化でき、ＣＤとＤＶＤの各々に対して最適な光利用効率を実現でき、さらに部品ずれに対しても信頼性の高い光ピックアップの実現が可能である。
次に、本発明の第１から第３の実施形態における光ピックアップを搭載した光ディスク装置について説明する。図７に本発明の第１から第３の実施形態における光ピックアップを搭載した光ディスク装置の概略ブロック図を示す。
【００２６】
光ピックアップ１６より検出された信号の一部は光ディスク判別回路２１に送られ、光ディスク判別回路２１にて光ディスクの判別を行い、その結果はコントロール回路２４に送られる。さらに、光ピックアップ１６により検出された検出信号の一部は、サーボ信号生成回路２２あるいは情報信号検出回路２３に送られる。サーボ信号生成回路２２では、光ピックアップ１６で検出された各種信号から光ディスク１３に適したフォーカスエラー信号やトラッキングエラー信号を生成し、コントロール回路２４に送る。一方、情報信号検出回路２３では、光ピックアップ１６の検出信号から光ディスク１３に記録された情報信号を検出し再生信号出力端子へ出力する。
【００２７】
コントロール回路２４は、光ディスク判別回路２１からの信号により光ディスク１３を設定し、それに対応してサーボ信号生成回路２２にて生成されたフォーカスエラー信号やトラッキングエラー信号に基づいて、対物レンズ駆動信号をアクチュエータ駆動回路２５に送る。この対物レンズ駆動信号によりアクチュエータ駆動回路２５は、光ピックアップ１６内のアクチュエータ１０を駆動し対物レンズ９の位置制御を行う。また、コントロール回路２４は、アクセス制御回路２６により光ピックアップ１６のアクセス方向位置制御を行い、スピンドルモータ制御回路２７によりスピンドルモータ２８を回転制御しディスク１３を回転させる。
【００２８】
さらに、コントロール回路２４は、レーザ切替えスイッチ３０により端子（ｉ）及び端子（ii）の切替えを行うと同時に、レーザ点灯回路２９を駆動することにより、光ピックアップ１６に搭載されている半導体レーザ１あるいは半導体レーザ２を光ディスク１３に応じて適宜点灯させ、光ディスク装置での記録再生動作を実現している。
以上説明した本発明の各実施形態においては、ＣＤ側の光学系に補助レンズを追加する構成としているが、補助レンズを配置する位置は特にＣＤ側に限定されるものではなく、光学系の構成によっては波長が短いＤＶＤ側に配置する構成であってもかまわない。
また、光学系を配置するベースの材料をシリコンとして説明したが、ベース部分の材質を特に限定するものではない。
【図面の簡単な説明】
【００２９】
【図１】本発明の第１の実施形態における２波長レーザモジュールの構成を示す図である。
【図２】本発明の第１の実施形態における２波長レーザモジュールの構成を示す斜視図である。
【図３】本発明の第１の実施形態における２波長レーザモジュールを用いた光ピックアップの構成を示す図である。
【図４】本発明の第２の実施形態における２波長レーザモジュールの構成を示す図である。
【図５】本発明の第２の実施形態におけるハーフミラーの透過率特性を示す図である。
【図６】本発明の第３の実施形態における２波長レーザモジュールの構成を示す図である。
【図７】本発明の第１から第３の実施形態における光ピックアップを搭載した光ディスク装置の概略ブロック図である。
【符号の説明】
【００３０】
１、２…半導体レーザ、３…補助レンズ、４…ハーフミラー、５…ベース、６…ステム、１６…光ピックアップ、２９…レーザ点灯回路、３０…レーザ切替えスイッチ。
【図１】
2005100480.tif 000003
【図２】
2005100480.tif 000004
【図３】
2005100480.tif 000005
【図４】
2005100480.tif 000006
【図５】
2005100480.tif 000007
【図６】
2005100480.tif 000008
【図７】
2005100480.tif 000009